(57)【特許請求の範囲】
【請求項１】
商品の購入に係る決済を行える携帯端末装置において、
前記商品の購入者が操作して所定のデータを入力するための操作手段を備えた入力装置と通信する通信手段と、
購入者が前記操作手段を操作して入力した前記所定のデータを前記通信手段が受信した場合に、該受信した所定のデータを用いて決済を行う決済手段と、
前記入力装置を収納する形で着脱自在に保持する保持手段と、
前記保持手段に保持された前記入力装置に搭載のバッテリを充電するための充電手段と、
を具備することを特徴とする携帯端末装置。
【請求項２】
商品の購入に係る決済を行える携帯端末装置と連携させて用いられる装置であって、
前記商品の購入者が操作してデータを入力するための操作手段と、
前記操作手段を購入者が操作して入力したデータを前記携帯端末装置に送信する通信手段と、
前記携帯端末装置の保持手段に収納する形で着脱自在に保持された状態で該携帯端末装置から供給される電流により搭載のバッテリを充電する充電手段と、
を具備することを特徴とする入力装置。
【請求項３】
前記携帯端末装置の保持手段から取り外された場合に、電源を自動的にオンさせる、
ことを特徴とする請求項２記載の入力装置。
【請求項４】
購入者が前記商品の購入に利用するカードに記録された情報を読み取る情報読取手段、を更に具備し、
前記通信手段は、前記操作手段により入力されたデータの他に、前記情報読取手段が読み取った情報を前記携帯端末装置に送信する、
ことを特徴とする請求項２、または３記載の入力装置。
【発明の詳細な説明】
【０００１】
【発明の属する技術分野】
本発明は、商品の購入者によるデータ入力を伴うその購入に係る決済を携帯端末装置で行うための技術に関する。
【０００２】
【従来の技術および発明が解決しようとする課題】
持ち運びができる携帯端末装置（Hand Held Terminal）は、現在では客先や店舗、或いは倉庫といった現場で広く用いられている。その携帯端末装置（以降、携帯端末と略記）では、データ入力以外に、その転送も行えるようになっており、事務効率化や顧客サービスの向上に大きな役割を果たしている。それは、客先での検針作業や商品管理などの他に、商品販売に用いることができる。
【０００３】
その商品販売では、商品の代金の支払いにカードが利用されることが多くなっている。最近では、そのカードとして、クレジットカードの他に、キャッシュカードも利用できるようになっている。携帯端末では、そのようなカードを利用した決済（支払い）にも対応させることができる。
【０００４】
周知のように、キャッシュカードを利用した決済では、その利用者（商品の購入者）に暗証番号を入力させるようになっている。その入力は、カードを利用した決済に単に対応させた携帯端末では、それをその利用者に渡して行わせることになる。しかし、その携帯端末は、手に持てても比較的に大きく、重いのが実状である。このため、カードの利用者である客に、そのような携帯端末を持たせることは望ましくないと云える。このことから、キャッシュカードを利用した決済に携帯端末を対応させる場合には、その利用者である客のことも十分に考慮すべきであると考えられる。
【０００５】
本発明は、携帯端末装置を商品の購入者に渡すことなく、その購入者にデータを入力させての決済をその携帯端末装置により行えるようにするための技術を提供することを目的とする。
【０００６】
【課題を解決するための手段】
本発明の携帯端末装置は、商品の購入に係る決済を行えることを前提とし、商品の購入者が操作して所定のデータを入力するための操作手段を備えた入力装置と通信する通信手段と、購入者が操作手段を操作して入力した所定のデータを通信手段が受信した場合に、該受信した所定のデータを用いて決済を行う決済手段と、入力装置を収納する形で着脱自在に保持する保持手段と、保持手段に保持された入力装置に搭載のバッテリを充電するための充電手段と、を具備する。
【０００８】
【課題を解決するための手段】
本発明の第１の態様の入力装置は、商品の購入に係る決済を行える携帯端末装置と連携させて用いられる装置であって、商品の購入者が操作してデータを入力するための操作手段と、操作手段を購入者が操作して入力したデータを携帯端末装置に送信する通信手段と、携帯端末装置の保持手段に収納する形で着脱自在に保持された状態で該携帯端末装置から供給される電流により搭載のバッテリを充電する充電手段と、を具備する。
【０００９】
なお、上記第１の態様の入力装置は、携帯端末装置の保持手段から取り外された場合に、電源を自動的にオンさせる、ことが望ましい。
【００１１】
本発明の第２の態様の入力装置は、上記第１の態様における構成に加えて、購入者が商品の購入に利用するカードに記録された情報を読み取る情報読取手段、を更に具備し、上記通信手段は、操作手段により入力されたデータの他に、情報読取手段が読み取った情報を携帯端末装置に送信する。
【００１３】
本発明では、データの入力、及び携帯端末装置との通信が行える入力装置を用意して、その入力装置を購入者に操作させてデータを入力させ、購入者が入力のデータを入力装置から携帯端末装置に送信させ、その携帯端末装置に、入力装置から受信したデータを用いて決済を行わせる。
【００１４】
入力装置は、それに搭載すべき機能を絞ることで、携帯端末装置と比較して小型、軽量で実現させられる。その結果、商品の購入者は容易、且つ簡単にデータを入力することが可能となり、その購入者に悪い印象を与えることなく携帯端末装置を使用した決済が行えることとなる。
【００１５】
【発明の実施の形態】
以下、図面を参照しながら、本発明の実施の形態につき詳細に説明する。
図１は、本実施の形態による携帯端末装置、及び入力装置の外観を示す図である。
【００１６】
その携帯端末装置（以降、携帯端末と略記）１００は、客先での検針作業、倉庫、或いは店舗での商品管理、或いは商品販売に係る決済に使用するために製品化されたものである。その正面にはＬＣＤユニット１０１、及び各種キーを有するキーユニット１０２が配置され、その背面には、入力装置２００を着脱自在に収納する収納部１０３が配置されている。その収納部１０３を設けたことにより、入力装置２００は携帯端末１００と一体化させて携帯できることから、それらを別々に携帯する場合と比較して、携帯性は大きく向上することになる。
【００１７】
他方の入力装置２００は、商品販売に係る決済に携帯端末１００を使用する場合に、それと連携させて用いるために用意したものである。その正面には、ＬＣＤユニット２０１や、各種キーを有するキーユニット２０２が配置され、その上面には、クレジットカード、或いはキャッシュカードなどの磁気カードに記憶された情報を読み取る磁気カードリーダ（ＭＣＲ）２０３が配置されている。なお、磁気カードリーダ２０３による磁気カードの情報の読み取りは、カードリーダ２０３に設けられている溝内に磁気カードを挿入し、その溝に沿って磁気カードを所定方向に移動させることで行わせるようになっている。
【００１８】
その入力装置２００は、より詳細には図２に示すような外観となっている。図２（ａ）はそれの正面図、図２（ｂ）はそれの背面図、図２（ｃ）はそれの側面図、図２（ｄ）はそれの上面図（磁気カードリーダ２０３が設けられた側の面）である。
【００１９】
図２（ｃ）及び（ｄ）に示すように、入力装置２００は、それの背面側の一部が突出した形状となっている。このため、図１に示すように、入力装置２００はその正面を携帯端末１００の背面に向けた状態で収納部１０３内に収納するようになっている。
【００２０】
図３は、携帯端末１００に入力装置２００を収納するようにしたことに合わせてそれらに用意した構成を説明する図である。
本実施の形態では、入力装置２００の電源として充電可能なバッテリパックを採用している。このことから、入力装置２００の下面（上面と対向する面）側には、その充電用に２つの充電端子２１１が設けられている。また、携帯端末１００に収納されているか否か認識するためのスイッチ２１２が設けられている。
【００２１】
他方の携帯端末１００の収納部１０３内には、入力装置２００に設けられた２つの充電端子２１１の配置に合わせて２つの充電端子１１１が設けられている。また、入力装置２００が収納されているか否か認識するためのスイッチ１１２や、収納部１０３内に収納された入力装置２００のスイッチ２１２を押下する（導通状態にする）ための突起１１３が設けられている。そのスイッチ１１２は、収納部１０３内に収納された入力装置２００に突出部が押されて導通状態になるタイプのスイッチである。
【００２２】
本実施の形態では、収納部１０３内に充電端子１１１を設けることで、入力装置２００に搭載のバッテリパックの充電は携帯端末１００に行わせている。それにより、入力装置２００用の充電器を含め、それ専用の機器を用意する必要性を回避させて、携帯端末１００（入力装置２００を含む）の購入費用をより抑えるようにしている。
【００２３】
図４は、上記携帯端末１００、及び入力装置２００の断面図である。
図４に示すように、携帯端末１００は、上述のＬＣＤユニット１０１やキーユニット１０２の他に、特には図示しないＣＰＵやメモリを始めとする各種素子が搭載されたプリント配線板（ＰＣＢ）１２１と、充電可能なバッテリパック１２２と、プリント配線板１２１上のメモリを不揮発性化する副電池（例えばリチウム電池）１２３と、及び例えばバーコードを対象にそれをスキャンして読み取るスキャナ１２４と、を備えて構成されている。スキャナ１２４の近傍の面（上面）にはスキャンを行うための窓１２５が設けられ、充電端子１１１やスイッチ１１２はプリント配線板１２１と接続されている。また、特には図示していないが、赤外線で通信を行うための赤外線通信回路なども搭載されている。
【００２４】
他方の入力装置２００は、上述のＬＣＤユニット２０１やキーユニット２０２、及び磁気カードリーダ２０３の他に、特には図示しないＣＰＵやメモリを始めとする各種素子が搭載されたプリント配線板（ＰＣＢ）２２１と、及び充電可能なバッテリパック２２２と、を備えて構成されている。図３に示す充電端子２１１やスイッチ２１２はプリント配線板２２１と接続されている。特には図示していないが、プリント配線板２２１上のメモリを不揮発性化する副電池（例えばリチウム電池）や、ＩＣカードに記憶された情報を読み取るＩＣカードリーダ、及び赤外線で通信を行うための赤外線通信回路なども搭載されている。
【００２５】
図５は、上記携帯端末１００の回路構成図である。
その携帯端末１００は、図５に示すように、上記プリント配線板１２１に対して、ＬＣＤユニット１０１、キーユニット１０２、副電池１２３、バッテリパック１２２、外付けのプリンタと接続するためのインターフェース１３１、無線で通信を行うための無線通信回路１３２、スキャナ１２４、赤外線で通信を行うための赤外線通信回路１３３、２つの充電端子１１１からなる充電端子群１３４、スイッチ１１２、及び特には図示しない２つの充電端子からなる充電端子群１３５を接続させて構成されている。
【００２６】
上記充電端子群１３５を構成する２つの充電端子は、バッテリパック１２２の充電を行うためのものである。入力装置２００との通信は、無線通信回路１３２、或いは赤外線通信回路１３３を用いて行われる。
【００２７】
図６は、上記入力装置２００の回路構成図である。
その入力装置２００は、図６に示すように、上記プリント配線板２２１に対して、ＬＣＤユニット２０１、磁気カードリーダ（ＭＣＲ）２０３、ＩＣカードに記憶された情報を読み取るＩＣカードリーダ２３１、キーユニット２０２、無線で通信を行うための無線通信回路２３２、副電池２３３、バッテリパック２２２、赤外線で通信を行うための赤外線通信回路２３４、２つの充電端子２１１からなる充電端子群２３５、及びスイッチ２１２を接続させて構成されている。
【００２８】
以上の構成において動作を説明する。
プリント配線板１２１に搭載されたＣＰＵは、キーユニット１０２へのユーザの操作、無線通信回路１３２或いは赤外線通信回路１３３が受信したデータに対応するための制御を行う。それにより、キーユニット１０２に対する操作に応じて、ＬＣＤユニット１０１に表示させる内容の変更や、無線通信回路１３２、或いは赤外線通信回路１３３を介したデータ通信、スキャナ１２４によるスキャン、或いはインターフェース１３１を介して接続されたプリンタに印字させるべきデータを送ってのその印字などを必要に応じて行わせる。無線通信回路１３２、或いは赤外線通信回路１３３がデータを受信した場合には、その種類や内容に応じて、ＬＣＤユニット１０１に表示させる内容の変更や、無線通信回路１３２、或いは赤外線通信回路１３３を介したデータ通信などを必要に応じて行わせる。入力装置２００が収納部１０３内に収納されているか否かは、スイッチ１１２の出力信号から判定する。
【００２９】
そのＣＰＵは、ホストコンピュータとの通信は例えば無線通信回路１３２を介して行う。例えば無線通信回路１３２の他に、無線ＬＡＮの基地局などを介してホストコンピュータとの通信を行う。携帯端末１００を商品購入にかかる決済に使用する場合には、そのホストコンピュータは、例えば公衆回線を介して、クレジットカード会社や銀行などの金融機関へのデータ中継サービスを提供するセンタと接続できるものである。それにより、携帯端末１００は、商品の購入者がその代金の支払いにクレジットカード、或いはキャッシュカードを利用する際に、ホストコンピュータに依頼する形で決済を行うようになっている。なお、当然のことながら、直接、センタに接続して携帯端末１００に決済を行わせるようにしても良い。
【００３０】
一方、入力装置２００のプリント配線板２２１に搭載されたＣＰＵは、キーユニット２０２へのユーザの操作、無線通信回路２３２、或いは赤外線通信回路２３４が受信したデータに対応するための制御を行う。それにより、キーユニット２０２に対する操作に応じて、ＬＣＤユニット２０１に表示させる内容の変更や、無線通信回路２３２、或いは赤外線通信回路２３４を介したデータ通信、磁気カードリーダ（ＭＣＲ）２０３、或いはＩＣカードリーダ２３１によるカードの情報の読み取り、などを行わせる。無線通信回路２３２、或いは赤外線通信回路２３４がデータを受信した場合には、その種類や内容に応じて、ＬＣＤユニット２０１に表示させる内容の変更や、無線通信回路２３２、或いは赤外線通信回路２３４を介したデータ通信などを必要に応じて行わせる。
【００３１】
収納部１０３内に収納されているか否かは、スイッチ２１２の出力信号から判定する。収納部１０３内から取り出されたことに伴う変化がその信号に発生した場合には、装置２００の電源を自動的にオンとさせる。その逆の変化がその信号に発生した場合には、電源を自動的にオフとさせる。そのようにして、電源をオンさせる必要があると考えられる間、電源をオンさせることにより、消費電力を抑え、電源のオン／オフを行うための操作を不要とする形で操作性を向上させている。そのようにして操作性を向上させる結果、入力装置２００は収納部１０３から取り出すだけで使用できる状態となることから、作業もより迅速に行えることとなる。
【００３２】
商品の購入にかかる決済に使用する場合には、上記携帯端末１００、及び入力装置２００は例えば以下のように用いられる。
携帯端末１００のユーザ（店員）は、客が商品の購入を申し入れると、キーユニット１０２のキーを操作して、その商品に付されたバーコードをスキャンさせる。それにより、商品に関する情報（商品の種別や代金、など）を入力すると、客に代金の支払い方法を伺う。客が現金での支払いを望んでいるのであれば、現金を受け取り、受け取った金額をキーユニット１０２から入力した後、所定のキーを操作する。そのキーを操作すると、携帯端末１００は取り引き内容を印字させたレシートを発行する。その取り引き内容は、所定のタイミングでホストコンピュータに送信する。
【００３３】
一方、客がキャッシュカードによる支払いを希望している場合には、ユーザは入力装置２００を携帯端末１００から取り外して、客から受け取ったキャッシュカードの情報を磁気カードリーダ２０３に読み取らせる。その後、入力装置２００を客に渡し、暗証番号の入力を依頼する。客が暗唱番号を入力すると、入力装置２００を客から受け取り、所定のキーを操作する。それにより、キャッシュカードの情報や客が入力した暗唱番号を、例えば無線通信回路２３２により携帯端末１００に送信する。
【００３４】
それらのデータを受信した携帯端末１００は、それらのデータに商品の代金などのデータを加えてホストコンピュータに転送して、そのキャッシュカードを利用した決済が可能か否か確認させ、その結果を受け取る。その結果はＬＣＤユニット１０１に表示させる。決済が可能であれば、決済を指示するためのキーをユーザが操作するのを待って、ホストコンピュータに決済を依頼し、プリンタにはそれ用のレシートなどを印字させる。
【００３５】
このようにして、本実施の形態では、決済を行うために客に情報（個々ではキャッシュカードの暗唱番号）を入力させる場合には、入力装置２００を渡してそれを入力させている。その入力装置２００は、それに搭載する機能を絞ることで、携帯端末１００と比較して小型、軽量であり、手に持ちやすくなっている。このため、客は、携帯端末１００を渡す場合と比較して、容易、且つ簡単に情報を入力することができる。その結果、客に悪い印象を与えることも回避させることができる。
【００３６】
なお、本実施の形態では、携帯端末１００は外付けのプリンタと接続させて用いるようにさせているが、そのプリンタは内蔵とさせても良い。そのようにした場合にも、正面側にキーを配置できるスペースの低減や操作性の低下などを回避できることから、例えば図７に示すように、携帯端末７００の背面側に入力装置７１０は収納することが望ましい。その携帯端末７００は、手に持つのではなく、例えば図８に示すように、ベルト８０１などに取り付けて携帯できるようにしても良い。商品の陳列などの他の作業を担当させている店員にそのような、或いは本実施の形態のような携帯端末を携帯させた場合には、その店員は常時、客の要求に応じて商品を販売できるようになることから、客が商品をレジスタのところにまで運ぶ必要性が回避される。それにより、客にとっての利便性が向上し、サービスの質も向上することになる。
携帯端末や入力装置に搭載させる機能は、本実施の形態に限定されるわけではなく、適宜、変更しても良いものである。携帯端末では、入力装置と通信を行う機能、及び入力装置から送信されたデータを用いて決済を行う機能を少なくとも搭載させれば良く、入力装置では、携帯端末と通信を行う機能、及び商品の購入者にデータを入力させる機能を少なくとも搭載させれば良い。そのデータを入力させる機能としては、キーユニット２０１以外のものを採用しても良い。
【００３７】
【発明の効果】
以上説明したように本発明は、データの入力、及び携帯端末装置との通信が行える入力装置を用意して、その入力装置を購入者に操作させてデータを入力させ、購入者が入力のデータを入力装置から携帯端末装置に送信させ、その携帯端末装置に、入力装置から受信したデータを用いて決済を行わせる。
【００３８】
入力装置は、それに搭載すべき機能を絞ることで、携帯端末装置と比較して小型、軽量で実現させることができる。このため、商品の購入者は容易、且つ簡単にデータを入力することができる。その結果、購入者に悪い印象を与えることなく、携帯端末装置を使用した決済が行えることとなる。
【図面の簡単な説明】
【図１】本実施の形態による携帯端末装置、及び入力装置の外観を示す図である。
【図２】本実施の形態による入力装置の外観を示す図である。
【図３】携帯端末装置に入力装置を収納するようにしたことに合わせてそれらに用意した構成を説明する図である。
【図４】本実施の形態による携帯端末装置、及び入力装置の断面図である。
【図５】本実施の形態による携帯端末装置の回路構成図である。
【図６】本実施の形態による入力装置の回路構成図である。
【図７】他の実施の形態による携帯端末装置、及び入力装置を示す図である。
【図８】他の実施の形態による携帯端末装置の携帯方法を説明する図である。
【符号の説明】
１００、７００    携帯端末装置
１０１、２０１    ＬＣＤユニット
１０２、２０２    キーユニット
１０３    収納部
１１１、２１１    充電端子
１１２、２１２    スイッチ
１２１、２２１    プリント配線板
１２２、２２２    バッテリパック
１２３、２３３    副電池
１２４    スキャナ
１３２、２３２    無線通信回路
１３３、２３４    赤外線通信回路
１３４、１３５、２３５    充電端子群
２０３    磁気カードリーダ
【図１】
0003658555.tif 000002
【図２】
0003658555.tif 000003
【図３】
0003658555.tif 000004
【図４】
0003658555.tif 000005
【図５】
0003658555.tif 000006
【図６】
0003658555.tif 000007
【図７】
0003658555.tif 000008
【図８】
0003658555.tif 000009